(57)【要約】【課題】画像転写の前後のそれぞれでカード等の媒体表面のクリーニングを行なえる記録装置を提供する。【解決手段】媒体供給部Ｃから取り出されたカードが送出される搬送経路１５には、転写部１４と、カードを一対のコンタクトローラ２２ａ，２２ｂで挟持して通過させることでクリーニングを行うクリーニング部５とが配置される。搬送経路１５は、ローラ対２９，３０，３５，３６及びコンタクトローラ２２ａ，２２ｂの駆動によりカードを転写部１４へ搬送するとき、転写前のカードのクリーニングが行われる。転写部１４での転写処理後には、カードを逆方向に搬送して再度クリーニング部５を経由させて、カードを排出部Ｄに搬送することで、転写後のカードのクリーニングが行われる。【選択図】図１
2019098621.tif 000002
【特許請求の範囲】
【請求項１】
画像が形成された転写フィルムを媒体に圧接することにより前記画像を前記媒体に転写する記録装置において、
前記媒体を供給する媒体供給部と、
前記媒体をクリーニングするクリーニング部と、
前記媒体に転写処理を施す転写部と、
前記媒体が排出される排出部と、
前記媒体を搬送する媒体搬送手段と、
前記媒体搬送手段を制御する制御部と、を備え、
前記制御部は、前記媒体を前記媒体供給部から前記クリーニング部を経由して前記転写部へ搬送し、前記転写部による転写処理後に前記クリーニング部を経由して前記排出部に搬送するように前記媒体搬送手段を制御することを特徴とする記録装置。
【請求項２】
前記クリーニング部は、前記媒体供給部と前記転写部との間で、且つ、前記転写部による転写処理時の媒体搬送方向下流側に配置されていることを特徴とする請求項１に記載の記録装置。
【請求項３】
前記制御部は、媒体供給時は前記クリーニング部の一方側から前記媒体を搬送し、転写処理後は前記クリーニング部の他方側から前記媒体を搬送することを特徴とする請求項２に記載の記録装置。
【請求項４】
前記媒体搬送手段は、前記媒体の搬送方向において少なくとも前記クリーニング部の両側に配置されており、前記制御部は、前記媒体の前記搬送方向の上流側端部が前記クリーニング部を通過するまで前記媒体を搬送することを特徴とする請求項１乃至３のいずれか一項に記載の記録装置。
【請求項５】
さらに、前記媒体の搬送方向を転換して搬送する反転部を備えており、
前記クリーニング部は前記反転部と前記転写部との間に設けられていることを特徴とする請求項１乃至４のいずれか一項に記載の記録装置。
【請求項６】
前記制御部は、前記媒体を、前記媒体供給部から前記反転部、前記クリーニング部、前記転写部、前記クリーニング部、前記反転部を通って前記排出部に排出されるように搬送することを特徴とする請求項５に記載の記録装置。
【請求項７】
前記反転部は前記媒体を搬送する搬送ローラを有し、前記搬送ローラは表面が粘着性を有する構成となっており、
前記クリーニング部は前記搬送ローラで構成されていることを特徴とする請求項５に記載の記録装置。
【請求項８】
さらに、前記クリーニング部に付着したゴミを除去する再除去部材を備えていることを特徴とする請求項１乃至７のいずれか一項に記載の記録装置。
【発明の詳細な説明】
【技術分野】
【０００１】
本発明は、プラスチックカード、厚紙カードなどの記録媒体の表面に転写フィルムを介して画像を転写する記録装置に関する。
【背景技術】
【０００２】
一般に、この種の記録装置は、各種証明書用カードや決済用カードに画像を記録する際などに用いられている。この場合の記録方法としては、例えば顔写真、氏名、名称等の画像が印刷されている転写フィルムを、カードと共に加熱部材と転写プラテンとで圧接することで、このカードの表面に転写フィルムの画像を転写することで行われている。
【０００３】
かかる記録装置においては、転写に備えて収容しているカードの表面に塵埃等が付着して汚れていると、転写が不完全となることがある。そこで、転写の前にカードの表面の塵埃を除去した後、転写部に給送することが行われている（例えば、特許文献１を参照）。
【０００４】
しかしながら、転写後においても転写で生じる汚れがカード表面に残留していると、美観上において仕上がりの悪いカードとなる。特に、転写後にカード面から転写フィルムを引き剥がすとき、転写フィルムが完全に剥離されずに、一部がフィルムカスとして残留していることが多々ある。
【０００５】
また、ヒートローラとバックアップローラの間に送り込み、転写リボンの表面保護膜側に重ね合わせて加熱し、カード表面に表面保護膜を転写した後、転写リボンと表面保護膜とを剥離してカードと表面保護膜とを一体化させてカードを作成するカード作成装置においては、カードに転写された保護膜のばりを除去することが知られている（例えば、特許文献２を参照）。
【先行技術文献】
【特許文献】
【０００６】
【特許文献１】特開２０１２−１２１６４５号公報
【特許文献１】特開２０１４−５４７５１号公報
【発明の概要】
【発明が解決しようとする課題】
【０００７】
しかしながら特許文献２のカード作成装置は、転写後にカードの仕上がりを整えるためにバリ取り処理を行うものであって、カードの表面に残留している汚れやゴミを除去するものではない。よって、転写の前後でカードの表面に付着している汚れやゴミ等を除去する記録装置が望まれているが、カードの表面をクリーニングするクリーニング部を転写部の前後に設けるのは装置の大型化を招き、コストアップにもつながる。
【０００８】
以上の点より本発明は、一つのクリーニング部によって画像転写の前後の両方でカード等の媒体表面のクリーニングを行なえるよう、クリーニング部を効率的に配置した記録装置を提供することを目的としている。
【課題を解決するための手段】
【０００９】
上記課題を達成するため本発明は、画像が形成された転写フィルムを媒体に圧接することにより前記画像を前記媒体に転写する記録装置において、前記媒体を供給する媒体供給部と、前記媒体をクリーニングするクリーニング部と、前記媒体に転写処理を施す転写部と、前記媒体が排出される排出部と、前記媒体を搬送する媒体搬送手段と、前記媒体搬送手段を制御する制御部と、を備え、前記制御部は、前記媒体を前記媒体供給部から前記クリーニング部を経由して前記転写部へ搬送し、前記転写部による転写処理後に前記クリーニング部を経由して前記排出部に搬送するように前記媒体搬送手段を制御することを特徴とする。
【００１０】
この場合、前記クリーニング部は、前記媒体供給部と前記転写部との間で、且つ、前記転写部による転写処理時の媒体搬送方向下流側に配置するのが好ましい。これにより、カードの搬送経路を短くすることができ、装置の小型化や処理時間の短縮が図れる。一つの実施形態として、前記制御部は、媒体供給時は前記クリーニング部の一方側から前記媒体を搬送し、転写処理後は前記クリーニング部の他方側から前記媒体を搬送することで、装置の小型化や処理時間の高速化が顕著となる。
【００１１】
加えて、前記媒体搬送手段は、前記媒体の搬送方向において少なくとも前記クリーニング部の両側に配置されており、前記制御部は、前記媒体の前記搬送方向の上流側端部が前記クリーニング部を通過するまで前記媒体を搬送するよう構成することで、カードの端部までクリーニングすることができる。
【００１２】
また、別の実施形態では、前記媒体の搬送方向を転換して搬送する反転部を設けて、前記クリーニング部は前記反転部と前記転写部との間に配置する。これにより、反転部でカードの挙動が変わることで転写カスがカードから離散する可能性があるため、その前にクリーニングでき効果的である。
【００１３】
そして、反転部の上側に供給部、反転部を挟みクリーニング部の反対側に前記排出部を配置すれば、転写処理を行ったカードをそのまま排出部に排出することができ処理効率が向上する。
【００１４】
この場合、前記制御部は、前記媒体を、前記媒体供給部から前記反転部、前記クリーニング部、前記転写部、前記クリーニング部、前記反転部を通って前記排出部に排出されるように搬送するよう構成するとよい。
【００１５】
また、更に別の実施形態においては、前記反転部は前記媒体を搬送する搬送ローラを有し、前記搬送ローラは表面が粘着性を有する構成とすることで、この搬送ローラを前記クリーニング部としている。よって、この実施形態では、反転部の搬送ローラがクリーニング部材を兼ねており、装置の小型化が一層図れる。
【００１６】
前記クリーニング部は、付着したゴミを除去する再除去部材を備えているのが好適であり、クリーニング性能が向上する。
【発明の効果】
【００１７】
本発明に係る記録装置に依れば、転写処理前にカード等の媒体をクリーニングして、転写処理後も媒体のクリーニングをすることで外部からの埃と転写カスとの両方をクリーニングするため、転写の仕上がりの良い媒体が提供される。しかも、転写処理前後のクリーニングを同じクリーンニング部で行うために、記録装置の小型化が実現される。
【図面の簡単な説明】
【００１８】
【図１】本発明の第1の実施形態に係わる記録装置の全体構成図を示す。
【図２】図１の記録装置におけるクリーニング部の説明図を示す。
【図３】図１の記録装置におけるスキュー補正部の説明図を示す。
【図４】図1の記録装置の各部の電気的接続をブロック図で示す。
【図５】図1の記録装置の動作フローチャートを示す。
【図６】図1の記録装置におけるクリーニング部の変形例の説明図を示す。
【図７】本発明の第２の実施形態に係わる記録装置の概略的な説明図を示す。
【発明を実施するための形態】
【００１９】
以下、図示の好適な実施の形態に基づいて本発明を詳述する。図１は本発明の第１の実施形態に係わる記録装置１の全体構成の説明図である。記録装置１は、各種証明用のＩＤカードや商取引用のクレジットカードを作成するために、カードに情報を電子的又は磁気的に記録する共に、カードの表面には熱転写により画像を記録するカード処理装置である。ハウジング２には、情報記録部Ａと画像形成部Ｂと媒体収容部Ｃとが設けて、ハウジング２の隣には画像を記録されたカードを排出される排出部Ｄを配置している。
【００２０】
［媒体供給部］
媒体供給部Ｃは、装置ハウジング２のカセット装着エリアに着脱自在に取り付けられるカードカセット３を備えて、カードカセット３には複数枚のカードが収容される。図１に示すカードカセット３は、複数のカードを立位姿勢で整列して収容し、サポート部材１２によって同図右方向から左方向に向けてカードを繰り出す。そして、カードカセット３の先端には分離開口７が設けられ、ピックアップローラ１９で最前列のカードから装置内に供給される。
【００２１】
［情報記録部］
情報記録部Ａは反転ユニットＦを備え、カードカセット３から送られたカードは、一対の搬入ローラ６によってこの反転ユニットＦに送られる。反転ユニットＦは、装置フレーム（不図示）に旋回動可能に軸受け支持されて、内部には水平方向に対向している一対のローラ対２０，２１が配置されている。そして、反転ユニットＦは、パルスモータなどの駆動モータによって所定角度旋回動し、これに応じてローラ対２０，２１も同じ角度で変位する。この場合、クラッチを用いて切り換えることにより、反転ユニットＦの旋回動とローラ対の回転とを同じ駆動モータで共用することができる。反転ユニットＦには不図示のホームポジションセンサが設けられており、ホームポジションセンサがＯＮした位置で反転ユニットＦが旋回動する際の基準位置となる。また反転ユニットＦの駆動モータには駆動モータの回転量を検知するエンコーダが設けられており、ホームポジションセンサがＯＮした状態からのエンコーダの入力値を測定することで、反転ユニットＦの旋回動の角度を制御することができる。
【００２２】
反転ユニットＦは、ローラ対２０，２１を結ぶ線分が分離開口７に対向するよう位置しており、送られてくるカードをセンサＳ１が検知すると、ローラ対２０，２１の回転で反転ユニットＦ内に導入し、ローラ対２０，２１でニップした状態で保持する。よって、ローラ対２０，２１は媒体搬入経路２８を形成している。
【００２３】
反転ユニットＦの旋回方向外周には、非接触式ＩＣ記録部２３と磁気記録部２４と接触式ＩＣ記録部２７とが配置されている。そして、各記録部２３，２４，２７の入口側にはセンサＳ５，Ｓ６，Ｓ７が配置されている。反転ユニットＦは、媒体搬入経路２８がこれらの情報記録部２３，２４，２７の何れかに連通するよう回動し、ローラ対２０，２１を駆動させて、カードを連通している情報記録部２３，２４，２７の何れかへ送出する。
【００２４】
カードは、磁気記録部２４或いは非接触式ＩＣ記録部２３または接触式ＩＣ記録部２７に移送されたとき、磁気データ若しくは電子データで情報が記録される。そして、カードは、データ入力後、再びローラ対２０，２１によって反転ユニットＦに取り込まれる。尚、情報記録部Ａは、これら磁気記録部２４，非接触式ＩＣ記録部２３，接触式ＩＣ記録部２７以外にも、装置仕様に応じて種々の記録部、例えばバーコード記録部などでも構成される。
【００２５】
反転ユニットＦは、データ入力後のカードを後段の画像形成部Ｂへ送るべく、媒体搬入経路２８が搬送経路１５と連通するよう、図１で示す状態となるよう反転ユニットＦは回転する。搬送経路１５は、後述するローラ対２９，３０，３５，３６及び一対のコンタクトローラ２２ａ，２２ｂによって、カードを水平方向に搬送する媒体搬送手段である。このとき、センサＳ２は、媒体搬入経路２８から搬送経路１５へ搬送されるカードを検知する。
［画像形成部］
画像形成部Ｂは、カードの表面に顔写真や文字データなどの画像を形成する。画像形成部Ｂは、インクリボン４１で転写フィルム４６に画像を転写する一次転写部１６と、転写フィルム４６からカードに画像を転写する二次転写部１４とを備える。
【００２６】
一次転写部１６での転写は、プラテンローラ４５と、このプラテンに対向配置されたサーマルヘッド４０とで行われる。プラテンローラ４５とサーマルヘッド４０との間を、リボンカセット４２から供給される昇華型のインクリボン４１と、フィルムカセット５０から供給される転写フィルム４６とが走行する。
【００２７】
転写フィルム４６は、フィルムカセット５０の供給スプール４７と巻取スプール４８とに巻回され、この供給スプール４７と巻取りスプール４８との間に前記したフィルム移送経路が形成される。そして、供給スプール４７は、操出モータＭｒ２に連結されており、巻取りスプール４８は、巻取モータＭｒ３にそれぞれ連結されている。この両モータは、装置フレームに取付けられカップリング手段を介してスプール軸に連結されており、それぞれステッピングモータで構成されており同一方向に同一送り量で回転する。
【００２８】
供給スプール４７と巻取りスプール４８との間の転写フィルム４６の移送経路には、移送ローラ４９とピンチローラ３２ａ、３２ｂが配置されており、転写フィルム４６は、移送ローラ４９とピンチローラ３２ａ、３２ｂとの圧接によりこのフィルム移送経路上を搬送される。移送ローラ４９は、移送ローラ駆動モータ６５（図４参照）に連結されており、一定の速度で転写フィルム４６を走行させる。このとき、センサＳｅ２は、転写フィルム４６に所定間隔毎に形成されたマーカを検出する。移送ローラ４９は、転写フィルム４６への画像形成時には、インクリボン４１と転写フィルム４６とが同一速度で、図１にて示すと反時計方向に回転するように構成されている。
【００２９】
一方、インクリボン４１は、リボンカセット４２に収納されている。リボンカセット４２には、インクリボン搬送手段を構成する供給スプール４３と巻取りスプール４４とが回転可能に組み込まれていて、巻取スプール４４は、インクリボンワインドモータＭｒ１に連結されている。この両スプール４３、４４間にはフィルム状のインクリボン４１が巻装されている。インクリボン４１は昇華型リボンであって、Ｙ（イエロー）・Ｍ（マゼンタ）Ｃ（シアン）・Ｂ（ブラック）の各インクパネル面を帯状に順次配置して成り、各インクパネル面は、転写フィルム４６の印刷幅に対応した所定幅を有している。センサＳｅ１は、巻取りスプール４４の駆動により搬送されるインクリボン４１の位置を検出する。
【００３０】
リボンカセット４２は、図１の紙面で表裏方向に装置ハウジング２に着脱可能に装着され、インクリボン４１は、画像形成用のプラテンローラ４５とサーマルヘッド４０との間に挿入される。転写フィルム４６は、供給スプール４７から取り出されて、移送ローラ４９の時計方向への回転で画像転写の頭出し位置に移送される。このとき、インクリボン４１も巻取りスプール４４が反時計方向に回転することでこの頭出し位置まで移送される。よって、この動作では、転写フィルム４６とインクリボン４１との移送方向は相反している。
【００３１】
転写フィルム４６とインクリボン４１とが頭出し位置で位置合わせされると、プラテンローラ４５が図示しない押し出し機構がプラテンローラ移動駆動部６６（図４参照）によってサーマルヘッド４０に向けて移動し、転写フィルム４６とインクリボン４１とを挟みサーマルヘッド４０と当接する。サーマルヘッド４０には、ヘッドコントロールＩＣ６８（図４参照）が接続されており、サーマルヘッド４０を熱制御するようになっている。ヘッドコントロールＩＣ６８は、ホストコンピュータ等の上位装置１１から転写指令と共に送られてくる画像データに従ってサーマルヘッド４０を加熱制御する。尚、冷却ファンｆ１は、サーマルヘッド４０を冷却するのに設けられている。
【００３２】
巻取スプール４４は、サーマルヘッド４０の熱制御と同期して回転して、インクリボン４１を所定速度で巻き取り方向に移動させる。このとき、移送ローラ４９が反時計方向に回転して、転写フィルム４６をインクリボン４１と同じ方向に一枚のカードの印刷幅に対応する分だけ移送させることで、この部分に画像が形成される。そして、一つのインクパネルによる画像転写が終了すると、移送ローラ４９は再び時計方向に回転して、転写フィルム４６を一枚のカードの印刷幅に対応する分だけ頭出し位置にまで引き戻す。このとき、インクリボン４１は、継続して巻取り方向に移送されるため、次のインクパネルパネルについて転写フィルム４６との頭出し位置での位置合わせが行われる。
【００３３】
このような頭出し制御は、Ｙ（イエロー）Ｍ（マゼンタ）Ｃ（シアン）Ｂ（ブラック）の各インクパネルについて、転写フィルム４６との頭出し位置での位置合わせが順次行われ、位置合わせ後にサーマルヘッド４０とプラテンローラ４５とによる加熱転写を繰り返すことで、カードの表裏面に転写する顔写真、文字データなどの画像が転写フィルム４６に転写される。
【００３４】
二次転写部１４での転写は、転写プラテン３１と加熱ローラ３３とで行われ、転写フィルム４６に画像形成した後、転写フィルム４６の一時転写で画像が形成されている部分とカードとを転写プラテン３１とを加熱ローラ３３との間に位置させる。そして、加熱ローラ３３を昇降駆動部１３（図３参照）によって転写プラテン３１に圧接する位置まで上昇させて、カードと転写フィルム４６とを同時に加圧及び加熱することで、転写フィルム４６に形成された画像インクが記録カードに加熱溶着されて、カードの表面に画像が転写される。
【００３５】
画像形成部Ｂは、一次転写部１６及び二次転写部１４に加えて、クリーニング部５とスキュー補正部３８とを搬送経路５上に配置している。
【００３６】
［クリーニング部］
クリーニング部５は、搬送経路１５上にあって、一組のローラ対２０，２１のうちの近い方に位置している（図ではローラ対２１）から、カードの長手方向の寸法以内の距離に配置されている。そして、クリーニング部５は、搬送経路１５を挟み配置される一対のコンタクトローラ２２ａ，２２ｂと、コンタクトローラ２２ａと接して配置されるクリーニングローラＲｃとを具備している。このコンタクトローラ２２ａ，２２ｂとクリーニングローラＲｃとは、それぞれ表面に粘着性を有するローラ体と、このローラ体と一体の回転軸で構成されている。このクリーニング部５は搬送経路１５上でローラ対２９とローラ対３０との間に配置されている。よってカードをクリーニングする際に、カード後端（搬送方向における上流側端部）がクリーニング部５を通過するまで搬送することができるので、カード全面をクリーニングすることができる。
【００３７】
カードがコンタクトローラ２２ａ，２２ｂの間を通過するとき、表面の塵埃がコンタクトローラ２２ａ，２２ｂに吸着されて除去される。このとき、クリーニングローラＲｃは、コンタクトローラ２２ａ，２２ｂに連動して回転することで、カードから除去されてコンタクトローラ２２ａ，２２ｂの表面に付着している塵埃は、さらにクリーニングローラＲｃに付着して、同時にコンタクトローラ２２ａ，２２ｂもクリーニングされる。従って、これら３通りのローラ表面の粘度は、コンタクトローラ２２ｂ・コンタクトローラ２２ａ・クリーニングローラＲｃの順に粘度が高くなるよう設定されて、クリーニングローラＲｃの粘度が最も高い。
【００３８】
コンタクトローラ２２ａ，２２ｂとクリーニングローラＲｃは、それぞれホルダ部材に収納されて、カートリッジ形式によりホルダ部材毎に装置より着脱可能となっている。図２に示すように、コンタクトローラ２２ａ及びローラ２２ｂを共に保持するホルダ部材はカートリッジ６３を構成している。カートリッジ６４はクリーニングローラＲｃを収納している。カートリッジ６３はコンタクトローラ２２ａとコンタクトローラ２２ｂの間に搬送経路１５が通るように、カートリッジ６４はクリーニングローラＲｃがコンタクトローラ２２ａと当接するように、それぞれ記録装置１に組み込まれる。
【００３９】
カートリッジ６４は、レバー６７を操作してクリーニングローラＲｃの回転軸６５とは異なる支軸６６を中心に図示しない圧接スプリングに抗して揺動させることで、クリーニングローラＲｃをコンタクトローラ２２の表面から離間させることできる。そして、カートリッジ６３，６４は、別々に記録装置１から取り外すことができ、交換やメンテナンスが容易に行えるようになっている。
【００４０】
［スキュー補正部］
スキュー補正部３８は、スキューしたカードを補正するために、クリーニング部５からカードの長手方向の寸法以内の距離で搬送経路１５上に配置されている。スキュー補正部３８は、図３に示すように、一組の搬送ローラ対３５，３６を搬送経路１５にそれぞれカードを挟持するよう設けて、ローラ対３５，３６の間には、カードの搬送方向に沿って搬送経路１５の一側にはスキュー補正用のガイド部材６０、他側にはガイド部材６０に対向してスキュー補正用の幅寄せ部材６１を配置している。そして、幅寄せ部材６１は、バネなどによる付勢部材６２の押し圧により搬送経路１５を通過するカード６４をガイド部材６３に向けて幅寄せするようになっている。
【００４１】
搬送ローラ対３６のカード６４に対する挟持力は、搬送ローラ対３５の挟持力と比べて大きく設定されている。これは、一対のローラ間の寸法やローラ径などを調整することで設定することができる。したがって、図３（ｂ）で示すように、スキューした状態で送られてくるカード６４に対して、幅寄せ部材６１がガイド部材６３に向けて幅寄せを行うと、搬送ローラ対３５の挟持力が弱いためカード６４は幅寄せの付勢で動いて、図３（ａ）で示すように搬送方向ａと一致するように矯正されながら搬送されることになる。
【００４２】
［排出部］
排出部Ｄは、装置ハウジング２に隣接して配置されて、転写が終了して搬送経路１５を通って送られてくるカードを、収容スタッカ５５に積層して収容するように構成されている。収容スタッカ５５は、図示しないレベルセンサで検出する最上カードの位置に応じて、昇降機構５６によって収容スタッカ５５を下降移動するように構成されている。
【００４３】
［制御構成］
図４は記録装置１の各部の電気的接続をブロック図で示している。制御部Ｅは、コンピュータで構成され、一般的なコンピュータが備える構成要素、すなわち、ＣＰＵ７０、ＲＯＭ７１、可変データを格納するＲＡＭ７２などを備えて、ＣＰＵ７０は、ＲＯＭに格納されている制御プログラムを実行することで、カード取出制御部７３と、データ入力制御部７４と、画像形成制御部７５と、カード搬送制御部７６の各機能を実現する。以下、この各機能について説明する。
【００４４】
カード取出制御部７３は、ピックアップローラ駆動部７７及び搬入ローラ駆動部７８にそれぞれ制御信号を出力して、ピックアップローラ１９及び搬入ローラ対６を駆動させて、媒体供給部Ｃのカードカセット３からのカードの取り出しを制御する。
【００４５】
データ入力制御部７４は、ホストコンピュータ等のこの記録装置１の上位の装置１１から送られてくるデータを磁気記録部２４又は接触式ＩＣ記録部２７若しくは非接触式ＩＣ記録部２３に書き込むよう制御する。
【００４６】
画像形成制御部７５は、上位装置１１から転写指令と共に送られてくる画像データをヘッドコントロールＩＣ６８に出力する。また、画像形成制御部７５は、制御プログラムに沿った所定のタイミングで駆動信号を出力して、インクリボンワインドモータＭｒ１，操出モータＭｒ２，巻取モータＭｒ３，移送ローラ駆動モータ６５，プラテンローラ移動駆動部６６及び加熱ローラ昇降駆動部６７を動作させて、一次転写及び二次転写を制御する。
【００４７】
カード搬送制御部７６は、反転ユニット駆動モータ７９の駆動を制御して、反転ユニットＦを回動させる。このとき、カード搬送制御部７６は、記録装置１の動作モードに応じて、媒体搬入経路２８が磁気記録部２４、接触式ＩＣ記録部２７、非接触式ＩＣ記録部２３、カードカセット３の分離開口７、又は搬送経路１５の何れかと対峙するよう回動角度を制御する。また、カード搬送制御部７６は、センサＳ２乃至センサＳ４が出力するカードの検知信号に応じて、搬送経路１５に配置されている一連のローラ対２９，３０，３５，３６、一対のコンタクトローラ２２ａ，２２ｂ及び反転ユニットＦ内のローラ対２０，２１を駆動する搬送駆動部８０に制御信号を出力して、搬送経路１５におけるカードの搬送を制御する。
【００４８】
上記構成の記録装置１によるカードへの画像の転写動作を図５のフローチャートに基づき説明する。
【００４９】
制御部Ｅは、上位装置１１からジョブスタート信号を受信すると（ステップＳｔ１）、カード取出制御部７３によってピックアップローラ駆動部７７に駆動信号を出力して、カードを媒体供給部Ｃから繰出す（ステップＳｔ２）。同時に、カード取出制御部７３は、搬入ローラ駆動部７８に駆動信号を出力してローラ対２０，２１を動作させ、媒体供給部Ｃから繰り出されてくるカードを反転ユニットＦ内の媒体搬入経路２８内へ取り込む（ステップＳｔ３）。そして、カード取出制御部７３は、入口センサＳ１が繰出されるカードを検知すると搬入ローラ駆動部７８に駆動信号の出力を停止し、次に入口センサＳ１が再びカードを検知しなくなると、搬入ローラ駆動部７８への駆動信号の出力を停止する。よって、媒体供給部Ｃからは1枚のカードが取り出される。このとき反転ユニットＦは、媒体搬入経路２８をカードカセット３の分離開口７に対峙させており、この取り出されたカードは、反転ユニットＦ内へ導入されて、媒体搬入経路２８内に保持される。
【００５０】
カード搬送制御部７６は、媒体供給部Ｃからカードが取り出されると、媒体搬入経路２８が上位装置１１からデータの書き込みが指定されている磁気記録部２４、非接触式ＩＣ記録部２３又は接触式ＩＣ記録部２７の何れかと対峙するように反転ユニット駆動モータ７９へ駆動信号を出力して、反転ユニットＦを所定の回転角度で回動させる（ステップＳｔ４）。
【００５１】
データ入力制御部７４は、反転ユニットＦが回動すると、上位装置１１から同時に送られてきているデータがカードに書き込まれるよう制御する（ステップＳｔ５）。この場合、磁気記録部２４又は接触式ＩＣ記録部２７のときは、カード搬送制御部７６は、搬送駆動部８０に駆動信号を出力してローラ対２０，２１を駆動させて、カードを媒体搬入経路２８からこれら記録部２４，２７へ送出し、書き込みが終了後はローラ対２０，２１を取込方向に駆動してカードを受け取る。このとき、カード搬送制御部７６は、センサＳ６，Ｓ７によって、カードの媒体搬入経路２８からの出入りを検知する。非接触式ＩＣ記録部２３への書き込みのときには、カードを媒体搬入経路２８に保持したままで、データを電波信号で送信して書き込みが行われる。
【００５２】
このカードへのデータの書き込みと並行して、画像形成制御部７５は、転写フィルム４６をサーマルヘッド４０に繰出す（ステップＳｔ６）。この転写フィルム４６の繰出は、繰出モータＭｒ２と巻取モータＭｒ３の回転制御によって行い、フィルムセンサＳｅ２で操出量を検出する。転写フィルム４６には、カードに画像を形成する領域の印刷幅に対応する所定幅のコマ毎にマークが施されており、そのマークをセンサＳｅ２で検出してフィルムの操出量を制御する。
【００５３】
画像形成制御部７５は、転写フィルム４６を繰出すと、上位装置１１から送られてきている画像データをヘッドコントロール用ＩＣ６８へ転送すると共に、インクリボンワインドモータＭｒ１，移送ローラ駆動モータ６５，プラテンローラ移動駆動部６６を制御して、転写フィルム４６に一時転写を行う。（ステップＳｔ７）。一時転写を行う際、画像形成制御部７５は、センサＳｅ２からのマークの検知信号に応じて移送ローラ駆動モータ６５の正逆転とインクリボンワインドモータＭｒ１の駆動を制御することで、インクリボン４１のＹ（イエロー）Ｍ（マゼンタ）Ｃ（シアン）Ｂ（ブラック）の各色が画像データに従って、転写フィルム４６に転写される。そして、一次転写後、転写フィルム４６は、転写された部分の先端がセンサＳｅ２で検知される待機位置で停止している。
【００５４】
カードへのデータの書き込みと一次転写の両方が終了すると、カード搬送制御部７６は、搬送駆動部８０に駆動信号を出力してローラ対２０，２１を駆動させると共に、搬送経路１５に配置している一連のローラ対２９，３０，３５，３６及び一対のコンタクトローラ２２ａ，２２ｂを駆動して、カードをセンサＳ４の方向に向けて、図では右方向へ搬送する。以下の説明においては、カードを右方向（正方向）に搬送する各ローラ対の回転を正回転、左方向（逆方向）に搬送する各ローラ対の回転を逆回転と便宜上、述べることとする。
【００５５】
ローラ対２０，２１及びローラ対２９の正回転により、媒体搬入経路２８に保持されているカードが反転ユニットＦから取り出されて、さらにコンタクトローラ２２ａ，２２ｂの正回転によりクリーニング部５を通過する間、カード表面のクリーニングが行われる（ステップＳｔ８）。クリーニング部５を通過すると、カードは転写プラテン３１と加熱ローラ３３との間を通過するが、ここでは二次転写は行われない。したがって、画像が転写する前にカードに付着している塵埃等の汚れはこの段階で除去される。
【００５６】
そして、クリーニングされたカードは、ローラ対３０，３５，３６の正回転が継続されることで、そのまま正方向へ搬送されてスキュー補正部３８を通過する。このとき、カード搬送制御部７６は、押出駆動部８１に駆動信号を出力して、幅寄せ部材６１をカードに向けて押し出すことで、スキューしているカードは矯正される（ステップＳｔ９）。
【００５７】
スキュー矯正が終了して、センサＳ４がカードの先端を検知したとき、カード搬送制御部７６は、ローラ対３０，３５，３６を逆回転するよう搬送駆動部８０に駆動信号を出力してカードを逆方向へ搬送する。そして、センサＳ３が逆搬送されてくるカードを検知すると、カード搬送制御部７６は、ローラ対３０，３５，３６の駆動を停止させる（ステップＳｔ１０）。よって、カードは二次転写処理前の待機位置に停止する。
【００５８】
カードを二次転写の待機位置に停止させたとき、画像形成部Ｂでの一次転写が終了して転写フィルム４６も走行経路の所定の待機位置にセットされていると、カード搬送制御部７６は、搬送駆動部８０を制御して、ローラ対２９，３０，３５及びコンタクトローラ２２ａ，２２ｂを逆回転させて転写プラテン３１に向けて搬送するよう駆動する。これに同期して、画像形成制御部７５は、転写フィルム４６の一時転写された部分を転写プラテン３１に向けて搬送するよう操出モータＭｒ２及び移送ローラ駆動モータ６５を駆動すると共に、加熱ローラ昇降駆動部６７を駆動して加熱ローラ３３を転写プラテン３１に押し出す。この場合、画像形成制御部７５は、操出モータＭｒ２は転写フィルム４６を巻き取る方向に回転制御する。これにより、転写フィルム４６とカードとが同時に加熱ローラ３３と転写プラテン３１の間を通過することで二次転写が行われる（ステップＳｔ１１）。
【００５９】
二次転写後、カードの逆方向への搬送が継続されて、カードは、コンタクトローラ２２ａ，２２ｂの間を通過する。これにより、カード表面のクリーニングが再び行われる（ステップＳｔ１２）。このときのクリーニングでは、転写後にカードに付着している転写フィルム４６の剥離カス等が除去される。
【００６０】
カード搬送制御部７６は、センサＳ２が逆搬送されてくるカードを検知すると、ローラ対２０，２１を逆回転させることで、カードを媒体搬入経路２８を通過させて排出部Ｄへ搬入する（ステップＳｔ１３）。
【００６１】
また、画像形成制御部７５は、センサＳ２がカードを検知したとき、加熱ローラ３３が転写プラテン３１より離反する方向に移動するよう加熱ローラ昇降駆動部６を制御する。これと共に、画像形成制御部７５は、巻取モータＭｒ３を駆動させて、転写フィルム４６のカードへの転写に使用された部分がプラテンローラ４５から巻取りスプール４８に向けて離脱する位置まで移動するよう転写フィルム４６の巻取りを制御する。これにより、転写フィルム４６の次回に一次転写される部分がプラテンローラ４５とサーマルヘッド４０との間にセットされることになる。
【００６２】
上記したように、クリーニング部５を搬送経路１５上に配置することにより、媒体収容部Ｃから取り出されたカードは、先ず正方向へ搬送されて、クリーニング部５、加熱ローラ３３と転写プラテン３１とで構成される二次転写部及びスキュー補正部３８を通過する。そして、カードは、逆方向に搬送されて、二次転写部での転写処理後に再びクリーニング部５を経由後に排出部Ｄに搬送されるため、転写処理前及び処理後の何れにおいても、カードはクリーニング部５を通過してクリーニングされる。
【００６３】
本実施形態の記録装置では、装置の上部にカード収容部Ｃを配置し、カード収容部Ｃの下方に反転ユニットＦを配置している。そして、反転ユニットＦと画像形成部Ｂとの間にクリーニング部５を配置し、反転ユニットＦに対して画像形成部Ｂの反対側に排出部Ｄを配置している。この構成により、（情報記録処理をせずに片面印刷のみの場合は）カードをカード収容部Ｃから供給した後は搬送経路１５に沿って１往復させるだけでカードのクリーニング、転写処理、排出を行うことができ、効率的な処理を行うことができる。
【００６４】
クリーニング部５は、図６に示すように、反転ユニットＦ内に配置してもよい。この場合、媒体搬入経路２８を形成するローラ対２０，２１の何れか一方、図示ではローラ対２１をクリーニング部５のコンタクトローラ２１ａ´，２１ｂ´としている。よって、カードが反転ユニットＦ内から正方向に搬送されるとき及び転写後に逆搬送されて排出部Ｄへ搬入されるときの何れにおいてもコンタクトローラ２１ａ´，２１ｂ´を通過することで、転写処理前後の何れでもクリーニングが行われる。
【００６５】
さらに、この変形例においては、コンタクトローラ２１ａ´，２１ｂ´のそれぞれに接触して回転するクリーニングローラＲｃ１，Ｒｃ２を設けている。よって、媒体収容部Ｃから取り出されたカードは、反転ユニットＦから転写部に送られる際及び転写後にカードが反転ユニットＦの媒体搬入経路２８を通過する際の何れにおいても、コンタクトローラ２１ａ´，２１ｂ´から送り出されるため、転写前後のクリーニングが行われる。
【００６６】
この変形例において、反転ユニットＦがカードを受け入れる際は、コンタクトローラ２１ａ´，２１ｂ´側からカードを受け入れると反転ユニットＦ内に塵埃が残らないという効果がある。よって、カード搬送制御部７６は、カード供給時はコンタクトローラ２１ａ´，２１ｂ´を媒体収容部Ｃ側に向け、転写処理が終了して反転ユニットＦにカードを進入させる際はコンタクトローラ２１ａ´，２１ｂ´を転写部１４側に向けてカードを受け入れるように反転ユニットＦの駆動モータ７９を制御する。
【００６７】
また、この変形例においては、クリーニング部としてのコンタクトローラ２１ａ´，２１ｂ´の両側のカード搬送部材はローラ対２９とローラ対２０ということになり、カードクリーニング時はこれらのローラ対まで搬送することでカード全面をクリーニングすることができる。
【００６８】
上記の例では、クリーニング部５を転写部による転写処理時の媒体搬送方向、すなわち逆搬送の下流側に配置しているが、上流側すなわちスキュー補正部３８と二次転写部との間の搬送経路１５上に配置してもよい。この構成においては、逆搬送で二次転写が終了したカードを再度正搬送してクリーニング部５を通過させた後には、さらに逆搬送に切り替えて、クリーニング後のカードを排出部Ｄに搬送する。
【００６９】
図７は、本発明の第２の実施形態に係わる記録装置１００の構成を示し、この記録装置１００は反転ユニットＦを具備しない。尚、同図では、主要な構成部のみを代表的に示すもので、図１に示した記録装置１と同じ構成部には同一の符号を付すことで詳細な説明を省略する。
【００７０】
記録装置１００の媒体収容部Ｃ´には、磁気的或いは電気的に情報が既に書き込まれているカード又はこれら情報を書き込む必要のないカードが積層されて収納されて、取出しローラ１０１によって最下位のカードが搬送経路１５に送出される。排出部Ｄに連なる搬送経路１５には、送出ローラ対１０３、クリーニング部５、二次転写部１４、スキュー補正部３８が順次配置されている。そして、搬送経路１５の下方の二次転写部１４と対向する位置には、一次転写部１６が設けられている。コンタクトローラ対１０７から成るクリーニング部５は、コンタクトローラ２２ａ，２２ｂのそれぞれにクリーニングローラＲｃを配置している。よって、記録装置１００における搬送経路１５は、送出ローラ対１０３と、クリーニング部５の一対のコンタクトローラ２２ａ，２２ｂと、ローラ対３５，３６とによって、カードを水平方向に搬送する。
【００７１】
上記構成の記録装置１００は、取出しローラ１０１によって最下位のカードが搬送経路１５に取り出されると、このカードは送出ローラ対１０３と、コンタクトローラ対２２ａ，２２ｂと、ローラ対３５，３６とが正回転することで、図で排出部Ｄの方向に向けて搬送される。そして、コンタクトローラ対２２ａ，２２ｂを通過することで、カード表面のクリーニングが行われ、さらにスキュー補正部３８まで搬送されて、スキューしているカードが矯正される。スキュー矯正後、カードは、ローラ対３５，３６及びコンタクトローラ対２２ａ，２２ｂの逆方向の回転で媒体収容部Ｃ´の方向へと逆搬送されて、スキュー補正部３８を通過し終わると、この逆方向への搬送が停止し、カードはローラ対３５，３６で保持された状態で待機する。
【００７２】
一方、転写フィルム４６は事前にインクリボン４１と重ね合せて、プラテンローラ４５とサーマルヘッド４０との間を通過することで、カードに転写する画像が一次転写されて待機している。そして、ここでは詳しく説明しないが、カードと転写フィルム４６とは位置合わせされた後、同期を取って二次転写部１４を図の左方向に向けて通過するよう制御されてカードに画像が転写される。二次転写の終了後、さらにカードはクリーニング部５に向けて搬送されて転写後のクリーニングが行われる。その際、カードを送出ローラ対１０３まで搬送し、カード後端（搬送方向における上流側端部）がコンタクトローラ対２２ａ，２２ｂを通過するまで搬送することでカード全面をクリーニングすることができる。そして、クリーニング終了後、送出ローラ対１０３と、コンタクトローラ対２２ａ，２２ｂと、ローラ対３５，３６とが再び正回転することで、カードは、右方向に向けて排出部Ｄへと搬送される。
【００７３】
このように、記録装置１００においても、クリーニング部５を搬送経路１５上に配置することにより、媒体収容部Ｃ´から取り出されたカードは、クリーニング部５を経由して、二次転写部１４を通過しスキュー補正部３８まで搬送されることで転写前のカードのクリーニングが行われ、その後、逆搬送されて二次転写部１４での転写後にクリーニング部５を通過することで、転写後のカードのクリーニングが行われる。
【産業上の利用可能性】
【００７４】
本発明は、プラスチックカード、厚紙カードなどの記録媒体の表面に画像情報やプリント情報を記録する記録装置に係わり、装置内で記録の前後のそれぞれでカードのクリーンニングを行うことで、仕上がりの良好なカードを作成でき、産業上の利用可能性を有する。
【符号の説明】
【００７５】
Ｃ        媒体供給部
Ｄ        排出部
Ｅ        制御部
１        記録装置
５        クリーニング部
１４      転写部（二次転写部）
１５      搬送経路（媒体搬送手段）
３１      転写プラテン
３３      加熱ローラ
４６      転写フィルム
１００    記録装置
【図１】
2019098621.tif 000003
【図２】
2019098621.tif 000004
【図３】
2019098621.tif 000005
【図４】
2019098621.tif 000006
【図５】
2019098621.tif 000007
【図６】
2019098621.tif 000008
【図７】
2019098621.tif 000009